(57)【要約】      （修正有）【課題】戸板が略重合する全開位置とこの重合を略解消する全閉位置との間で移動可能な引き戸において、全開位置での開口幅をより大きくとる。【解決手段】互いに平行な第１〜第３の戸板１〜３をリンク機構Ｌを介して相互に連動させるように連結し、これらの戸板１〜３が略重合する全開位置Ｏとこの重合を略解消する全閉位置Ｓとの間で移動可能な引き戸Ｄにおいて、前記リンク機構Ｌが、基端部を第１の戸板１の後面に枢着してなる第１のリンクメンバＬ１と、第２の戸板２の後方に設けたレール２１内を移動可能であると共に前記第１のリンクメンバＬ１の回動端を接続させてなる可動軸部材Ｐと、一端部を前記可動軸部材Ｐに接続させてなると共に他端部を第３の戸板３の後面に枢着してなる第２のリンクメンバＬ２とを具備し、前記レール２１が第２の戸板２の後面から離間していると共に第２の戸板２の一端部から第１の戸板１側に張り出している構成を採用する。【選択図】図４
2008180006.tif 000002
【特許請求の範囲】
【請求項１】
互いに平行な少なくとも３枚の戸板をリンク機構を介して相互に連動させるように連結し、これらの戸板が略重合する全開位置とこの重合を略解消する全閉位置との間で移動可能に構成したものであって、
前記リンク機構が、基端部を第１の戸板の後面に枢着してなる第１のリンクメンバと、第２の戸板の後方に設けたレール内を移動可能であるとともに前記第１のリンクメンバの回動端を接続させてなる可動軸部材と、一端部を前記可動軸部材に接続させてなるとともに他端部を第３の戸板の後面に枢着してなる第２のリンクメンバとを具備し、前記レールが第２の戸板の後面から離間しているとともに第２の戸板の一端部から第１の戸板側に張り出していることを特徴とする引き戸。
【請求項２】
互いに平行な複数枚の戸板をリンク機構を介して相互に連動させるように連結し、複数枚の戸板が略重合する全開位置とこの重合を略解消する全閉位置との間で移動可能に構成したものであって、
前記リンク機構が、基端部を第１の戸板の後面に枢着してなるリンクメンバと、第２の戸板の後方に設けたレール内を移動可能であるとともに前記リンクメンバの中間部を接続させてなる第１の可動軸部材と、第３の戸板の後方に設けたレール内を移動可能であるとともに前記リンクメンバの先端部を接続させてなる第２の可動軸部材とを具備し、前記第２の戸板の後方に設けたレールが第２の戸板の後面から離間しているとともに第２の戸板の一端部から第１の戸板側に張り出していることを特徴とする引き戸。
【請求項３】
前記第１の戸板の後面とリンクメンバとの間、及び前記第３の戸板の後面とリンクメンバとの間にスペーサ部材を有するとともに、前記リンクメンバの前端面及び後端面の全体が一平面内にあることを特徴とする請求項１又は２記載の引き戸。
【請求項４】
前記第１の戸板にシリンダ錠を有する施錠機構を取り付けているとともに、全開位置において前記レールと前記第１の戸板との間にこの施錠機構の少なくとも一部を位置させるようにしていることを特徴とする請求項１、２又は３記載の引き戸。
【請求項５】
前記可動軸部材が、前記レール内を移動可能なスライダを具備するとともに、前記施錠機構が、施錠状態においてこのスライダの移動を規制するようにしていることを特徴とする請求項４記載の引き戸。
【請求項６】
前記施錠機構が、前記シリンダ錠と、第１の戸板の後面に設けられこのシリンダ錠のデッドボルトから動作の伝達を受ける伝達板を有する伝達機構と、この伝達機構から動作の伝達を受け前記スライダの移動を規制する施錠部とを具備することを特徴とする請求項５記載の引き戸。
【請求項７】
内部に収納空間を有する本体と、この収納空間の前方に設けられ、互いに平行な少なくとも３枚の戸板をリンク機構を介して相互に連動させるように連結し、複数枚の戸板が略重合する全開位置とこの重合を略解消する全閉位置との間で移動可能に構成した引き戸とを具備するものであって、
前記引き戸のリンク機構が、基端部を第１の戸板の後面に枢着してなる第１のリンクメンバと、第２の戸板の後方に設けたレール内を移動可能であるとともに前記第１のリンクメンバの回動端を接続させてなる可動軸部材と、一端部を前記可動軸部材に接続させてなるとともに他端部を第３の戸板の後面に枢着してなる第２のリンクメンバとを具備し、前記レールが第２の戸板の後面から離間しているとともに第２の戸板の一端部から第１の戸板側に張り出していることを特徴とする収納家具。
【請求項８】
内部に収納空間を有する本体と、この収納空間の前方に設けられ、互いに平行な少なくとも３枚の戸板をリンク機構を介して相互に連動させるように連結し、複数枚の戸板が略重合する全開位置とこの重合を略解消する全閉位置との間で移動可能に構成した引き戸とを具備するものであって、
前記引き戸のリンク機構が、基端部を第１の戸板の後面に枢着してなるリンクメンバと、第２の戸板の後方に設けたレール内を移動可能であるとともに前記リンクメンバの中間部を接続させてなる第１の可動軸部材と、第３の戸板の後方に設けたレール内を移動可能であるとともに前記リンクメンバの先端部を接続させてなる第２の可動軸部材とを具備し、前記第２の戸板の後方に設けたレールが第２の戸板の後面から離間しているとともに第２の戸板の一端部から第１の戸板側に張り出していることを特徴とする収納家具。
【発明の詳細な説明】
【技術分野】
【０００１】
本発明は、複数の戸板をリンク機能により接続した引き戸、及びこのような引き戸を具備する収納家具に関する。
【背景技術】
【０００２】
従来、引き戸の戸板単体での幅をできるだけ小さくして全開時における引き戸の収容スペースの幅寸法を節約するとともに全開時における開口部を広くする目的で、複数枚の戸板を相互に連動させて開閉する構造を有した引き戸が開発されている。代表的なものとしては、基端部を第１の戸板の後面に枢着してなる第１のリンクメンバと、第２の戸板の後方に設けたレール内を移動可能であるとともに前記第１のリンクメンバの回動端を接続させてなる可動軸部材と、一端部を前記可動軸部材に接続させてなるとともに他端部を第３の戸板の後面に接続してなる第２のリンクメンバとを具備するリンク機構により戸板を連動可能に接続している構成のものが挙げられる。（例えば、特許文献１を参照）
【特許文献１】特開２００５−１８８０６６号公報
【発明の開示】
【発明が解決しようとする課題】
【０００３】
ところが、特許文献１記載の構成では、第２の戸板に設けたレールが第３の戸板に当接することにより第３の戸板の移動が規制される。すなわち、全開位置における開口幅がそれだけ小さくなり、戸板単体での幅をできるだけ小さくすることによる所期の効果が達成されなくなる不具合が生じる。
【０００４】
本発明は、以上に述べた課題を解決すべく構成するものである。
【課題を解決するための手段】
【０００５】
すなわち本発明に係る引き戸の一つは、互いに平行な少なくとも３枚の戸板をリンク機構を介して相互に連動させるように連結し、これらの戸板が略重合する全開位置とこの重合を略解消する全閉位置との間で移動可能に構成したものであって、前記リンク機構が、基端部を第１の戸板の後面に枢着してなる第１のリンクメンバと、第２の戸板の後方に設けたレール内を移動可能であるとともに前記第１のリンクメンバの回動端を接続させてなる可動軸部材と、一端部を前記可動軸部材に接続させてなるとともに他端部を第３の戸板の後面に枢着してなる第２のリンクメンバとを具備し、前記レールが第２の戸板の後面から離間しているとともに第２の戸板の一端部から第１の戸板側に張り出していることを特徴とする。
【０００６】
また、本発明に係る引き戸の他の一つは、互いに平行な少なくとも３枚の戸板をリンク機構を介して相互に連動させるように連結し、これらの戸板が略重合する全開位置とこの重合を略解消する全閉位置との間で移動可能に構成したものであって、前記リンク機構が、基端部を第１の戸板の後面に枢着してなるリンクメンバと、第２の戸板の後方に設けたレール内を移動可能であるとともに前記リンクメンバの中間部を接続させてなる第１の可動軸部材と、第３の戸板の後方に設けたレール内を移動可能であるとともに前記リンクメンバの先端部を接続させてなる第２の可動軸部材とを具備し、前記第２の戸板の後方に設けたレールが第２の戸板の後面から離間しているとともに第２の戸板の一端部から第１の戸板側に張り出していることを特徴とする。
【０００７】
これらのようなものであれば、前記レールが第１の戸板側に張り出しているので、このレール内を移動可能に設けた可動軸部材、及びこの可動軸部材に接続させたリンクメンバの部位は、第２の戸板の端縁を越えて第１の戸板側により多く移動させることができる。そして、このように可動軸部材を第１の戸板側により多く移動させることにより、前者の構成における第２のリンクメンバの固定端を枢着させてなる第３の戸板、及び後者の構成におけるリンクメンバの先端部を接続してなる第３の戸板も第１の戸板側により多く移動させることができる。すなわち、従来の構成と比較して全開位置における開口幅をより大きくとることができるようになる。さらに、従来の構成であれば、全開位置において第３の戸板の把手のみを露出させつつ第１の戸板の把手と反対側の端縁と第２の戸板の同じ側の端縁とが略面一となるようにするためには第２の戸板の幅寸法を他の戸板と比較して著しく小さくする必要があるところ、このような構成であれば、全開位置において第３の戸板の把手のみを露出させる構成を、第１、第２、及び第３の戸板の幅寸法に大きく差をつけることなく実現でき、第１、第２、及び第３の戸板を全閉位置に位置付け引き戸を閉止させた際の見栄えを整えることができる。
【０００８】
このような引き戸において、前記第１の戸板の後面とリンクメンバとの間、及び前記第３の戸板の後面とリンクメンバとの間にスペーサ部材を有するとともに、前記リンクメンバの前端面及び後端面の全体が一平面内にある構成を採用すれば、従来この種の引き戸のリンクメンバとして周知のものと同様の構成を有するリンクメンバを流用でき、従ってこのような引き戸の設計及び製造コストを引き下げることができる。
【０００９】
また、前記第１の戸板にシリンダ錠を有する施錠機構を取り付けているとともに、全開位置において前記レールと前記第１の戸板との間にこの施錠機構の少なくとも一部を位置させるようにしているものであれば、これらレールとシリンダ錠とを干渉させることなく、従来広く用いられているものと同様のシリンダ錠を設けることができる。
【００１０】
特に、前記可動軸部材が、前記レール内を移動可能なスライダを具備するとともに、前記施錠機構が、施錠状態においてこのスライダの移動を規制するようにしているものであれば、このスライダが上下移動不可能な状態では第１及び第２のリンクメンバの回動が規制されるので、戸板を直接該戸板を支持する筐体に固定する態様と比較して、筐体側に特別な加工を施すことなく施錠機構を取り付けることができる。すなわち、筐体の構成を簡単なものにできる。
【００１１】
さらに、前記施錠機構が、前記シリンダ錠と、第１の戸板の後面に設けられこのシリンダ錠のデッドボルトから動作の伝達を受ける伝達板を有する伝達機構と、この伝達機構から動作の伝達を受け前記スライダの移動を規制する施錠部とを具備するものであれば、前記スライダは前記レール内を移動可能にしていて、このレールが第１の戸板側に張り出しているので、前記伝達機構の伝達板を短いものにできる。
【発明の効果】
【００１２】
本発明に係る引き戸の構成によれば、前記レールと前記第１の戸板との間に把手を位置付けつつ、前記レールが第１の戸板側に張り出しているので、このレール内を移動可能に設けた可動軸部材、及びこの可動軸部材に接続させたリンクメンバの部位も第１の戸板側により多く移動させることができる。そして、前者の構成における第２のリンクメンバの固定端、及び後者の構成におけるリンクメンバの先端部も第１の戸板側により多く移動させることができる。すなわち、従来の構成と比較して全開位置における開口幅をより大きくとることができるようになる。さらに、従来の構成であれば、全開位置において第３の戸板の把手のみを露出させつつ第１の戸板の把手と反対側の端縁と第２の戸板の同じ側の端縁とが略面一となるようにするためには第２の戸板の幅寸法を他の戸板と比較して著しく小さくする必要があるところ、このような構成であれば、全開位置において第３の戸板の把手のみを露出させる構成を、第１、第２、及び第３の戸板の幅寸法に大きく差をつけることなく実現でき、第１、第２、及び第３の戸板を全閉位置に位置付け引き戸を閉止させた際の見栄えを整えることができる。
【発明を実施するための最良の形態】
【００１３】
以下、本発明の一実施の形態について図面を参照して説明する。
【００１４】
本実施形態に係る収納家具Ｓは、図１〜図４に示すように、内部に収納空間ＳＳを有する筐体Ｓ１と、この収納空間の前面に配置してなる引き戸Ｄとを具備する。この引き戸Ｄは、本実施形態では第１の戸板１と、この第１の戸板１の後方に隣接させて設けた第２の戸板２と、この第２の戸板の後方にさらに隣接させて設けた第３の戸板３と、これら第１〜第３の戸板１〜３を連動可能にすべくこれら第１〜第３の後面に設けられるリンク機構Ｌとを具備する。この引き戸Ｄは、これら第１〜第３の戸板１〜３が略重合する全開位置Ｏと、この重合を略解消する全閉位置Ｃとの間で移動可能である。また、この収納家具Ｓには、引き戸Ｄを前記全閉位置Ｓにロック可能な施錠機構Ｒが取付けられている。なお、本実施形態において前後方向と言うときには、収納家具Ｓの奥行き方向、つまり第１〜第３の戸板１〜３の厚み方向を指称している。なお、図１に引き戸Ｄが全閉位置Ｃにあるときの収納家具Ｓの正面図、図２に引き戸Ｄが全閉位置Ｃにあるときの引き戸Ｄの背面図をそれぞれ示す。また、図３に引き戸Ｄが全開位置Ｏにあるときの引き戸Ｄの平面図、図４に引き戸Ｄが全閉位置Ｃにあるときの引き戸Ｄの平面図をそれぞれ示す。なお、便宜上収納家具Ｓの背板の図示を省略している。また、図３及び図４では、前記施錠機構Ｒのシリンダ錠Ｒ１１を想像線により示している。
【００１５】
前記第１〜第３の戸板１〜３は、筐体Ｓに設けた図示しない戸板案内部により幅方向にスライド移動可能に支持されている。この戸板案内部は、例えば引き戸案内レールを利用して構成していて、第１〜第３の戸板の上端部又は下端部の少なくとも一方に設けた戸車がこの引き戸案内レール上を走行するようにしている。前記第１〜第３の戸板１〜３の位置関係について以下に述べる。前記全閉位置Ｃにおいては、前記図４に示すように収納空間ＳＳの一端部の前方に第１の戸板１が位置し、収納空間ＳＳの他端部の前方に第３の戸板３が位置する。そして、前記全閉位置Ｃにおいては、収納空間ＳＳの幅方向中央部の前方には第２の戸板２が位置し、この第２の戸板２の幅方向両端部がそれぞれ第１の戸板１、第３の戸板３の幅方向一端部と正面視重合している。また、前記第１、第３の戸板１、３には、把手１１、３１をそれぞれ設けている。この把手１１は、第１の戸板１の面板に設けた図示しない矩形状の孔に樹脂製の把手ボックスを嵌め込むことによって組み付けられたものである。第１の戸板１の把手１１の位置は、全閉位置Ｃにおいて収納空間ＳＳの一端部に対応する位置、すなわち隣接する第２の戸板２から遠い側に位置する第１の戸板１の縁部近傍であって且つ当該第１の戸板１の下端近傍位置である。第３の戸板３の把手３１の位置は、全閉位置Ｃにおいて収納空間ＳＳの他端部に対応する位置、すなわち全閉位置Ｃにおいて第１の戸板１と左右対称となる位置である。そして、前記全開位置Ｏにおいては、前記図３に示すように、前記第２の戸板２はその全体が第１の戸板１と正面視重合し、前記第３の戸板３は一端部、具体的には把手３１近傍の部位以外が第１、第２の戸板１、２と正面視重合している。そして、これら第１〜第３の戸板１〜３の中央部には、透明ないし半透明な窓板１９、２９、３９をそれぞれ取り付けている。
【００１６】
リンク機構Ｌは、前記図２、図３、及び図４に示すように、第１の戸板１と第２の戸板２とを連動可能に接続する第１のリンクメンバＬ１と、第２の戸板２と第３の戸板３を連動可能に接続する第２のリンクメンバＬ２と、両リンクメンバＬ１、Ｌ２の回動端側を接続させてなる可動軸部材Ｐとを具備する。
【００１７】
さらに詳述すると、前記第１のリンクメンバＬ１は、前記図２、図３、及び図４に示すように、基端部を第１の戸板１の後面に枢着しているとともに、回動端側を前記可動軸部材Ｐに接続している。また、前記第２のリンクメンバＬ２は、基端部を第３の戸板３の後面に枢着しているとともに、回動端側を前記可動軸部材Ｐに接続している。ここで、前記第１、第２のリンクメンバＬ１、Ｌ２の回動端側を山形に交叉させているスライダ２１に取り付けるようにしている。また、第１のリンクメンバＬ１と第１の戸板１の後面の間にはこれらを離間させるべくスペーサ部材１２を設けているとともに、このスペーサ部材１２に第１固定軸部材１２１を設けて第１のリンクメンバＬ１の基端部を枢着している。一方、第２のリンクメンバＬ２と第３の戸板３の後面との間にもこれらを離間させるべくスペーサ部材３２を設けているとともに、このスペーサ部材３２に第２固定軸部材３２１を設けて第２のリンクメンバＬ２の基端部を枢着している。そして、第１、第２のリンクメンバＬ１、Ｌ２はいずれも細長い平板状に形成している。すなわち、第１のリンクメンバＬ１の前端面及び後端面の全体がそれぞれ一平面内にあるようにしているとともに、第２のリンクメンバＬ２の前端面及び後端面の全体もそれぞれ一平面内にあるようにしている。
【００１８】
一方、前記可動軸部材Ｐは、前記図２、図３、及び図４に示すように、また、図５に示すように、第２の戸板に設けたレール２１内を移動可能なスライダＰ１と、このスライダＰ１から起立して設けられ両リンクメンバＬ１、Ｌ２の回動端側を接続させてなる軸本体Ｐ２とを具備する。ここで、図２に示すごとくスライダＰ１は、図１に示したレール２１内を移動可能なスライダ本体Ｐ１１と、このスライダ本体Ｐ１１の上下２箇所に前後方向軸を介し軸着されて前記レール２１の側壁に転接可能な一対のガイドローラＰ１２、Ｐ１３とを備えたものであり、スライダ本体Ｐ１１の中心部分に前後方向に貫通する開口Ｐ１１ｘが設けられている。
【００１９】
前記レール２１は、後方に開口しているとともに上下方向に延伸していて、このレール２１内に前記スライダＰ１を上下移動可能に収納している。しかして本実施形態では、このレール２１と第２の戸板２の後面との間に、これらを離間させるべくスペーサ部２１１を設けている。このスペーサ部２１１は、本実施形態ではレール２１と一体に設けている。すなわち、レール２１の後端面からこのスペーサ部２１１を一体に延伸して設けている。このスペーサ部２１１は、第２の戸板２の後面の第１の戸板１側の端縁に設けている。そして、このレール２１は、一端部がこのスペーサ部２１１の前方に位置し、他端部は第２の戸板２の前記端縁を越えて全閉位置Ｃにおける第１の戸板１側の張り出している。
【００２０】
一方、施錠機構Ｒは、前記特許文献１記載の引き戸におけるものとほぼ同様の構成を有する。すなわち、図１に示すように、操作部たるシリンダ錠Ｒ１と、伝達機構Ｒ２と、施錠部Ｒ３とにより構成されている。
【００２１】
シリンダ錠Ｒ１は第１の戸板１に設けられた把手１１の近傍に取付けられている。図６に示すように、シリンダ錠Ｒ１は、施錠操作及び開錠操作に伴い横方向へ進退移動する作動杆Ｒ１１を備えたもので、作動杆Ｒ１１の上側方に先端片Ｒ１１ａを持ち出し、この先端片Ｒ１１ａに作動杆Ｒ１１の横方向への進退動作に伴ってその背面位置を変化させるテーパＲ１１ｂを備えている。ここで、このシリンダ錠Ｒ１の後端の奥行き方向位置は、前記レール２１の前面よりも前方にある。そして、全開位置Ｏにおいては、前記レール２１と第１の戸板１との間にこのシリンダ錠Ｒ１が位置する。なお、前記図６の（ａ）にはシリンダ錠Ｒ１の正面側斜視図、同図の（ｂ）にはシリンダ錠Ｒ１の背面側斜視図をそれぞれ示している。
【００２２】
施錠部Ｒ３は、前記図２、図７、図９及び図１０に示すように、前記リンク機構Ｌに設けたスライダＰ１の動きを制止すべく、前記第２の戸板２に付帯するレール２１の下端付近において当該レール２１の側壁に支軸Ｒ３ｂを介して突没子Ｒ３ｃを軸着した構成からなるもので、この突没子Ｒ３ｃは、板金素材を塑性変形加工して、支軸Ｒ３ｂの外周に固定される基端部Ｒ３ｃ１と、この基端部Ｒ３ｃ１から支軸Ｒ３ｂの軸心と略直交する方向に延出する延出部Ｒ３ｃ２と、この延出部Ｒ３ｃ２の先端に連続する屈曲部Ｒ３ｃ３とを設けたものである。詳細には、引き戸Ｄが全閉位置Ｃにあるとき即ちスライダＰ１がレール２１の下端近傍にあるときに、当該スライダＰ１の開口Ｐ１３内に前記突没子Ｒ３ｃの延出部Ｒ３ｃ２を進入させて、屈曲部Ｒ３ｃ３を当該開口Ｐ１３の開口縁に係止させ、スライダＰ１の動きを停止させるものである。なお、図７にはこの施錠部Ｒ３と前記伝達機構Ｒ２との接続部の斜視図、図９にはこの施錠機構Ｒ近傍を示す斜視図、図１０にはこの施錠機構Ｒの模式的断面図をそれぞれ示す。また、図９には、前記リンク機構Ｌの第１、第２のリンクメンバを想像線により示している。
【００２３】
伝達機構Ｒ２は、図２並びに図７〜図１０に示すように、第２の戸板２側に位置するトルクアームＲ２１と、第１の戸板１側に位置する伝達板Ｒ２２とにより構成されている。トルクアームＲ２１は図７に示すように、前記突没子Ｒ３ｃを軸着している支軸Ｒ３ｂに一体的に連設されたクランク状のもので、入力端Ｒ２１１を前記支軸Ｒ３ｂの軸心から変位した位置において当該支軸Ｒ３ｂに沿って第２の戸板２から第１の戸板１に向かう方向に延出させたものである。通常時において突没子Ｒ３ｃはその自重により支軸Ｒ３ｂから垂下して、図１０に想像線で示すように延出部Ｒ３ｃ２及び屈曲部Ｒ３ｃ３をスライダＰ１の開口Ｐ１３から退避した部位に位置づける。
【００２４】
一方、伝達板Ｒ２２は、図２及び図８に示すように、第１の戸板１の幅寸法よりも若干端寸な幅寸法を有する板材の上縁部Ｒ２２ａを折り曲げ、下縁部Ｒ２２ｂ近傍に補強用の突条を幅方向に沿って設けたもので、上縁部Ｒ２２ａをピンＲ２２ａ１を介して第１の戸板１の背面に回転可能に取り付け、下縁部Ｒ２２ｂ側を第１の戸板１の背面から選択的に後方に起立可能としたものである。前記トルクアームＲ２１の入力端Ｒ２１１は背面視において伝達板Ｒ２２の上縁部Ｒ２２ａから下方へ変位した部位にオーバーラップさせてあり、伝達板Ｒ２２が上縁部Ｒ２２ａを支点にして下縁部Ｒ２２ｂを後上方へ持ち上げる方向に回転すると、トルクアームＲ２１が駆動されて、突没子Ｒ３ｃをスライダＰ１の開口Ｐ１３に係合させる方向に支軸Ｒ３ｂを回転させるものである。なお、通常時は伝達板Ｒ２２が自重により第１の戸板１に沿って垂下して、当該第１の戸板１と第２の戸板２との厚み方向の隙間に入り込み得るように当該第１の戸板１の背面に密接しているものである。
【００２５】
そして、この引き戸Ｄを全閉位置Ｃから全開位置Ｏへ移動させる際の各部の作用について以下に述べる。
【００２６】
まず、第３の戸板３を第１の戸板１側に向けて移動させるべく操作力を加える。すなわち、収納空間ＳＳの一端部の前方に位置する把手３１に、収納空間ＳＳの他端部に向かう作用を加える。すると、第２のリンクメンバＬ２にこの操作力が伝達され、第２のリンクメンバＬ２の回動端に設けた前記可動軸部材Ｐが押圧される。そして、この可動軸部材Ｐからレール２１を介して第２の戸板２に操作力が伝達される。その際、第２のリンクメンバＬ２の他端部は前記第２固定軸部材３２１を介して第３の戸板３に枢着しているとともに、前記可動軸部材Ｐには第１のリンクメンバＬ１の回動端をも接続していて、さらに、第１のリンクメンバの他端部は第１固定軸部材１２１を介して第１の戸板１に枢着しているため、このリンク機構Ｌは３辺リンクとして機能する。すなわち、第２固定軸部材３２１が第１固定軸部材１２１に向けて移動し、可動軸部材Ｐはレール２１内を上方に移動しつつ第２の戸板２に前記操作力を伝達してこの第２の戸板２と第３の戸板３とを連動させる。そして、全開位置Ｏにおいて、前記第１の戸板１の把手１１を設けた側と反対側の端縁の幅方向位置と前記第２の戸板２の第３の戸板３側の端縁の幅方向位置とは略一致する。その際、レール２１と第１の戸板１との間にシリンダ錠Ｒ１が位置する。なお、この引き戸Ｄを全開位置Ｏから全閉位置Ｃへ移動させる際には、逆に第３の戸板３を該第３の戸板に設けた把手３１が第１の戸板に設けた把手１１と離間する方向に移動させるようにしている。その際、各部は上述した全閉位置Ｃから全開位置Ｏへ移動の際と逆向きに作用する。また、この引き戸Ｄは、もちろん全閉位置Ｃから第１の戸板１を第３の戸板３側に向けてスライドさせる操作を行い、第１、第２の戸板１、２を連動させて第３の戸板３に重合させるようにもできる。その際、収納空間ＳＳの第１の戸板１側が開口する。その際の開口幅は、上述した第３の戸板３を第１の戸板１側にスライド移動させた場合と同一である。
【００２７】
以上に述べたように、本実施形態に係る収納家具の引き戸Ｄは、第２の戸板２の第１の戸板寄りの端縁に設けたレール２１が第２の戸板２の後面から離間しているとともに、このレール２１が第２の戸板２の前記端縁を越えて全閉位置Ｃにおける第１の戸板１側に張り出しているので、このレール２１内を移動可能に設けた可動軸部材Ｐ、及びこの可動軸部材Ｐに接続させた第２のリンクメンバＬ２も第２の戸板２の端縁を越えて第１の戸板１側により多く移動させることができる。そして、このように構成することにより、リンク機構Ｌが３辺リンクであり、可動軸部材Ｐの軸本体Ｐ２及びレール２１は第１及び第２の固定軸部材１２１、３２１の垂直２等分線上を移動するので、第２のリンクメンバＬ２の固定端を枢着させてなる第３の戸板３も第１の戸板１側により多く移動させることができる。すなわち、従来の構成と比較して全開位置Ｏにおける開口幅をより大きくとることができるようになる。さらに、従来の構成であれば、全開位置において第３の戸板の把手のみを露出させつつ第１の戸板の把手と反対側の端縁と第２の戸板の同じ側の端縁とが略面一となるようにするためには第２の戸板の幅寸法を他の戸板と比較して著しく小さくする必要があるところ、このような構成であれば、全開位置において第３の戸板３の把手のみを露出させる構成を、第１、第２、及び第３の戸板１、２、３の幅寸法に大きく差をつけることなく実現でき、第１、第２、及び第３の戸板１、２、３を全閉位置Ｃに位置付け引き戸Ｄを閉止させた際の見栄えを整えることができる。
【００２８】
また、前記第１の戸板１の後面と第１のリンクメンバＬ１との間、及び前記第３の戸板３の後面と第２のリンクメンバＬ２との間にスペーサ部材１２、３２をそれぞれ設けているとともに、前記第１、第２のリンクメンバＬ１、Ｌ２の前端面及び後端面の全体が一平面内にあるので、従来この種の引き戸のリンクメンバとして周知のものと同様の構成を有するリンクメンバを流用でき、従ってこのような引き戸Ｄの設計及び製造コストを引き下げることができる。
【００２９】
また、前記第１の戸板１に施錠機構Ｒのシリンダ錠Ｒ１を取り付けているとともに、全開位置Ｏにおいて前記レール２１と前記第１の戸板１との間にこのシリンダ錠Ｒ１を位置させるようにしているので、これらレール２１とシリンダ錠Ｒ１とを干渉させることなく、従来広く用いられているものと同様のシリンダ錠を設けることができる。
【００３０】
そして、前記可動軸部材Ｐが前記レール２１に沿って移動可能なスライダＰ１を具備するとともに、前記施錠機構Ｒが、施錠状態においてこのスライダＰ１の上下移動を規制するようにしているので、第１及び第２のリンクメンバＬ１、Ｌ２の回動も規制され、戸板を直接該戸板を支持する筐体に固定する態様と比較して、筐体Ｓ１側に特別な加工を施すことなく施錠機構Ｒを取り付けることができる。すなわち、筐体Ｓ１の構成を簡単なものにできる。
【００３１】
加えて、前記施錠機構Ｒが、前記シリンダ錠Ｒ１と、第１の戸板１の後面に設けられこのシリンダ錠Ｒ１のデッドボルトＲ１１から動作の伝達を受ける伝達板Ｒ２２を有する伝達機構Ｒ２と、この伝達機構Ｒ２から動作の伝達を受け前記スライダＰ１の移動を規制する施錠部Ｒ３とを具備するとともに、前記スライダＰ１が前記レール２１内を移動可能であり、さらにこのレール２１が第１の戸板１側に張り出しているので、前記伝達機構Ｒ２の伝達板Ｒ２２は短いものにできる。
【００３２】
なお、本発明は以上に述べた実施形態に限られない。
【００３３】
例えば、図１１に模式的に示すような、３枚引き戸Ｄ２を挙げることができる。このものは、１本のリンクメンバＬ１１からなるリンク機構Ｌ１０を採用した３枚引き戸Ｄ２において、リンク機構Ｌ１０は第１、第２、及び第３の戸板１０、２０、３０を連動可能に接続する共通のリンクメンバＬ１１のうち第２の戸板２０に対して上下動可能に軸着された第１の可動軸部材Ｐ１とし、第３の戸板３０に対して上下動可能に軸着された第２の可動軸部材Ｐ２とするものである。ここで、リンク機構Ｌ１０において、第１、第２の可動軸部材Ｐ１、Ｐ２の上下動を案内するべく、レール２２０、３２０が設けられている。特に、第２の戸板２０の後面に設けたレール２２０は、その一端部を第１の戸板１０側に張り出させている。
【００３４】
また、第１の可動軸部材Ｐ１において、スライダ２０１がレール２２０内を上下動するようにしているとともに、当該スライダ２０１の位置に、上記実施形態と同様の施錠機構Ｒを第１の引き戸１０及び第２の引き戸に亘って取付けている。そして、この３枚引き戸Ｄ２が図示している全閉位置において、スライダ２０１の上下の移動を制止するものとしている。
【００３５】
このようなものとすることにより、リンク機構としてよく用いられる共通のリンクメンバＬ１１を用いたリンク機構Ｌ１０のようなものに対しても、上記実施形態に係る施錠機構Ｒを装着することにより、上記実施形態と同様の作用、効果を得ることが可能である。なお、この３枚引き戸Ｄ２は、上述したような収納家具Ｓの収納空間ＳＳの前方に配してなる前扉として、上述した引き戸Ｄの同様に好適に用いることができる。
【００３６】
また、リンクメンバの表面には、適宜凹凸を設けるようにしてももちろんよい。
【００３７】
さらに、把手及びシリンダ錠は、リンク機構と上下方向に十分離間した位置に設けるようにしてももちろんよい。すなわり、リンク機構の可動範囲の上下位置と、把手又はシリンダ錠シリンダ錠の上下位置とを全く異なるものにしてこれらの干渉を防ぐようにしてもよい。
【００３８】
加えて、戸板は３枚に限らず、４枚以上具備させてももちろんよい。例えば、４枚の戸板を有し、１つのリンクメンバの基端部を第１の戸板に枢着し、このリンクメンバの中間部に第２、第３の戸板を第１、第２の可動軸部材を介して接続するとともに、このリンクメンバの他端部に第４の戸板を第３の可動軸部材を介して接続し、これら第１、第２、及び第３の可動軸部材の移動方向を案内するレールを第１の戸板側に張り出して設ける態様等が考えられる。
【００３９】
そして、このような引き戸は、収納家具の収納空間の前方に限らず、例えば車庫の出口の前方、あるいは個人の住宅等の敷地の出口の前方等に設け、門扉等として使用するようにしてもよい。
【００４０】
その他、本発明の趣旨を逸脱しない範囲で種々変形が可能である。
【図面の簡単な説明】
【００４１】
【図１】本発明の一実施形態に係る収納家具の引き戸が全閉位置にある状態を示す正面図。
【図２】同実施形態に係る引き戸が全閉位置にある状態を示す背面図。
【図３】同実施形態に係る引き戸が全開位置にある状態を示す平面図。
【図４】同実施形態に係る引き戸が全閉位置にある状態を示す平面図。
【図５】同実施形態に係る可動軸部材を示す斜視図。
【図６】同実施形態に係る操作部を示す斜視図。
【図７】同実施形態に係る施錠部及び伝達機構の接続部分を示す斜視図。
【図８】同実施形態に係る伝達機構を示す斜視図。
【図９】同実施形態に係る施錠機構を設けた位置近傍を示す斜視図。
【図１０】同実施形態に係る施錠装置の動作を説明するための模式的な断面図。
【図１１】本発明の他の実施形態に係る模式的な背面図。
【符号の説明】
【００４２】
Ｓ…収納家具
１…第１の戸板
２…第２の戸板
２１…レール
３…第３の戸板
Ｌ…リンク機構
Ｌ１…第１のリンクメンバ
Ｌ２…第２のリンクメンバ
Ｐ…可動軸部材
Ｏ…全開位置
Ｓ…全閉状態
【図１】
2008180006.tif 000003
【図２】
2008180006.tif 000004
【図３】
2008180006.tif 000005
【図４】
2008180006.tif 000006
【図５】
2008180006.tif 000007
【図６】
2008180006.tif 000008
【図７】
2008180006.tif 000009
【図８】
2008180006.tif 000010
【図９】
2008180006.tif 000011
【図１０】
2008180006.tif 000012
【図１１】
2008180006.tif 000013